(57)【要約】【課題】丸形管支柱が既設のものであっても容易且つ強固にパネルが固定できる傾斜パネルの取付構造を提供する。【解決手段】パネル１の下面に、所望の寸法に形成が容易な角形管を用いて取付用角形管２を形成することで、取り付けの対象となる丸形管支柱３に合わせて広い間隔が生じないよう、取付用角形管２を形成してパネル１を傾斜させて取り付けることができ、間隔が生じることによるがたつきや外観の悪化を防止できる。【選択図】図１
2004251035.tif 000002
【特許請求の範囲】
【請求項１】
丸形管支柱の上端にパネルが傾斜させて取り付けられた取付構造であって、パネルは取付用角形管に傾斜させて取り付けられ、該取付用角形管の中空部に前記丸形管支柱を上端から挿通させて固定することを特徴とする傾斜パネルの取付構造。
【請求項２】
取付用角形管は、一方の端部に傾斜面が設けられ、該傾斜面にパネルが取り付けられて傾斜パネルとなされることを特徴とする請求項１に記載の傾斜パネルの取付構造。
【請求項３】
パネルは、太陽電池パネルであることを特徴とする請求項１又は２に記載の傾斜パネルの取付構造。
【発明の詳細な説明】
【０００１】
【発明の属する技術分野】
本発明は、主に道路周辺に設置され、道路標識や視線誘導標等を固定する支柱上端への傾斜パネルの取付構造に関するものである。
【０００２】
【従来の技術】
従来、傾斜パネルを丸形管支柱の上端に固定する方法としては、丸形管支柱の上端を傾斜させて直接パネルを溶接等により固定したり、傾斜パネルの下面から垂直に取付用丸形管を設けて、その取付用丸形管の中空部に丸形管支柱の上端を挿入し、取付用丸形管に穿設した貫通孔及び予め取り付けておいたナットにボルトを螺着することで傾斜パネルを丸形管支柱の上端に固定していた。
【０００３】
また特許文献１に開示されているソーラ自発光交通標識においては、太陽電池パネルの下端に折り曲げ部を設け、かかる折り曲げ部に支柱の上端を固定することで、太陽電池パネルを丸形管支柱の上端に固定している。
【０００４】
また特許文献２に開示されている視線誘導標や、特許文献３に開示されている発光標識装置においては、丸形管支柱に嵌着可能な取付部を有する成形品に太陽電池を設け、その取付部を丸形管支柱に嵌着することで太陽電池パネルを丸形管支柱の上端に固定している。
【０００５】
【特許文献１】
特開平６−３４８２１１号公報
【０００６】
【特許文献２】
実開平７−４３１７７号公報
【０００７】
【特許文献３】
特開平８−１９９５１３号公報
【０００８】
【発明が解決しようとする課題】
しかしながら、直接パネルを溶接等により固定する方法では、支柱が既設のものである場合、現地での設置に係わる時間や手間がかかり、現地の状況においては設置が困難となる場合がある。
【０００９】
また傾斜パネルの下面の取付用丸形管の中空部に丸形管支柱の上端を挿入する方法では、現地における手間は少ないものの、丸形管支柱及び取付用丸形管に標準品を使用しようとすると、丸形管支柱と取付用丸形管との間に広い間隔が開いて、がたつきが生じたり外観が見苦しくなることがある。
【００１０】
図４は、ＪＩＳのＧ  ３４４４に規定された一般構造用炭素鋼鋼管の外径及び厚さを示すものであり、一般に鋼管の標準品はこれらの寸法に合わせて製造されている。例えば丸形管支柱の外径が６０．５ｍｍである場合、丸形管支柱を挿入可能とする取付用丸形管の外径は７６．３ｍｍとなり、厚みが２．８ｍｍであれば丸形管支柱の外面と取付用丸形管の内面とは１０．２ｍｍの間隔が生じることとなる。かかる間隔を生じさせないようにするには特注の丸形管が必要となる。
【００１１】
図５に示す如く、パネル１に取付用丸形管Ｍが取り付けられ、取付用丸形管Ｍに丸形管支柱３が挿通されて、取付用丸形管に穿設した貫通孔（図示せず）及び予め取り付けておいたナットＮにボルトＢを螺着することでボルトＢの先端が丸形管支柱３に圧接されてパネル１は丸形管支柱３の上端に固定されるが、丸形管支柱３の外面と取付用丸形管Ｍの内面とで間隔Ｋが生じることから、その間隔Ｋを吸収するためにボルトＢの長さは必要以上に長いものとせざるを得ず、間隔Ｋが開くことのみならず取り付け後もボルトＢが突出し、外観が見苦しいものとなる場合がある。
【００１２】
また太陽電池パネルの下端に折り曲げ部を設け、かかる折り曲げ部に支柱の上端を固定する如き方法では、とりわけパネルが大型のものとなった場合、風圧等により変形し、傾斜角度が保持できなくなる恐れがある。
【００１３】
更にまた丸形管支柱に嵌着可能な取付部を有する成形品に太陽電池を設け、その取付部を丸形管支柱に嵌着することで太陽電池パネルを丸形管支柱の上端に固定する如き方法では、風圧等に耐えうる強度でパネルを形成すべく金属等の強度の高い材料を用いた場合に、取付部の形成が困難であり、アルミニウム、亜鉛等のダイカストを用いたり合成樹脂を用いて金型によるパネルと取付部の一体成型を行った場合、種々の大きさのパネルに対応することが困難である。
【００１４】
本発明は上記の如き問題点に鑑みてなされたものであり、丸形管支柱が既設のものであっても容易且つ強固にパネルが固定できる傾斜パネルの取付構造を提供せんとするものである。
【００１５】
【課題を解決するための手段】
上記課題を解決するため、本発明は以下のような構成としている。すなわち、本発明に係わる傾斜パネルの取付構造は、丸形管支柱の上端にパネルが傾斜させて取り付けられた取付構造であって、パネルは取付用角形管に傾斜させて取り付けられ、該取付用角形管の中空部に前記丸形管支柱を上端から挿通させて固定することを特徴とするものである。
【００１６】
本発明によれば、所望の寸法に形成が容易な角形管を取付用に用いることで、取り付けの対象となる丸形管支柱に合わせて広い間隔が生じないよう、取付用角形管を形成して傾斜パネルを取り付けることができ、間隔が生じることによるがたつきや外観の悪化を防止できる。
【００１７】
また前記取付用角形管は、一方の端部に傾斜面が設けられ、該傾斜面にパネルが取り付けられて傾斜パネルとなされていれば、パネルや丸形管支柱に合わせて取付用角形管を任意に選択することができ好ましい。
【００１８】
また前記パネルは、太陽電池パネルであれば、電力を消費する機器を予め丸形管支柱に取り付けておくことができ、設置における自由度を高めることができ好ましい。
【００１９】
【発明の実施の形態】
本発明の実施の形態について、図面に基づき以下に具体的に説明する。
図１及び図２は、本発明に係わる実施の一形態を示す説明図である。まず図１において、パネル１は下地パネル１１と外層パネル１２とからなり、まず取付用角形管２の一方の端部に形成された傾斜面２１に穿設されたビス孔２２に、下地パネル１１に穿設された貫通孔１１１に挿通されたビス等の締結手段Ｔ１が締結されることで、下地パネル１１は取付用角形管２に固定され、更に下地パネル１１に外層パネル１２が接着、締結等により固定されることで、取付用角形管２にパネル１が傾斜して取り付けられる。
【００２０】
図２のイ）において、パネル１が傾斜して取り付けられた取付用角形管２の中空部２３に丸形管支柱３が挿通され、取付用角形管２の一側面に穿設されねじ山が螺刻されたボルト孔２４にボルト等の締結手段Ｔ２が螺着され、締結手段Ｔ２の先端が丸形管支柱３の外面に圧接されることで、傾斜されたパネル１は丸形管支柱３の上端に強固に取り付けられる。
【００２１】
かかる構造により、上述の効果に加え、間隔を小さくできることから長さの短いボルトを使用でき、外観を良好にできると共にボルトが目立たず、パネル１の盗難や悪戯の防止にも繋がる。
【００２２】
またロ）に示す如く、締結手段Ｔ２に六角穴付き止めねじを用いることで、締結手段Ｔ２は目立つことがなく、また容易に取り外すことができるから、より好適に用いることができる。
【００２３】
また取付用角形管２に傾斜面２１を設けるにおいて、丸形管に傾斜面を設ける場合より傾斜面の形状が簡潔なものとなり、傾斜面２１を設けるのが容易となる。
【００２４】
更に、パネル１と取付用角形管２が別体となされているから、予め丸形管支柱３に合わせた取付用角形管２を用意しておき、パネル１を取付用角形管２に取り付けることで容易にパネル１の設置が可能であり、設置は迅速なものとなり得る。また輸送の際にパネル１から取付用角形管２を外して輸送することができ、取付用角形管２の出っ張りによるパネル１の損傷や輸送効率の低下を防ぐことができる。
【００２５】
取付用角形管２はアルミニウム、鉄鋼、ステンレス等の金属の曲げ材、押出型材等を用いてもよいが、角形管の標準品を用いてもよい。図３は、ＪＩＳのＧ  ３４６６に規定された一般構造用角形鋼管の外径及び厚さを示すものであり、一般に角形鋼管の標準品はこれらの寸法に合わせて製造されているが、上述の一般構造用炭素鋼鋼管の外径より小刻みに外径が設定されており、例えば丸形管支柱１の外径が６０．５ｍｍや７６．３ｍｍである場合、丸形管支柱１を挿入可能とする取付用角形管は辺の長さ７５×７５ｍｍや９０×９０ｍｍを用いることができ、丸形管支柱の外面と取付用丸形管の内面との間隔は丸形管を用いる場合より小さくできる。
【００２６】
本発明に係わるパネルは、道路標識板や視線誘導標などでもよいが、太陽電池パネルであれば適用することにより得られる効果はより大きいものとなり得る。パネルが太陽電池パネルであれば、上述の効果に加え、太陽電池パネルは太陽光の受光効率を高めるために傾斜させて設ける必要があり、また屋外に設置され風圧等の外力を受けるものであるから、本発明の如く丸形管支柱に強固に傾斜パネルを固定できる取付構造が好適に適用できる。
【００２７】
また図１に示すパネル１の外層パネル１２が太陽電池パネルであれば、太陽電池パネルの着脱が自在なものとなり、メンテナンスが必要な場合に容易に取り外して行うことができる。
【００２８】
【発明の効果】
本発明によれば、所望の寸法に形成が容易な角形管を取付用に用いることで、取り付けの対象となる丸形管支柱に合わせて広い間隔が生じないよう、取付用角形管を形成して傾斜パネルを取り付けることができ、間隔が生じることによるがたつきや外観の悪化を防止できる。
【図面の簡単な説明】
【図１】本発明に係わる実施の一形態を示す説明図である。
【図２】本発明に係わる実施の一形態を示す説明図である。
【図３】ＪＩＳ  Ｇ３４６６による一般構造用角形鋼管の外径及び厚みを規定した表である。
【図４】ＪＩＳ  Ｇ３４４４による一般構造用炭素鋼鋼管の外径及び厚みを規定した表である。
【図５】従来の傾斜パネルの取付構造を示す説明図である。
【符号の説明】
１    パネル
２    取付用角形管
２１  傾斜面
３    丸形管支柱
【図１】
2004251035.tif 000003
【図２】
2004251035.tif 000004
【図３】
2004251035.tif 000005
【図４】
2004251035.tif 000006
【図５】
2004251035.tif 000007